(57)【特許請求の範囲】
【請求項１】
親子間で共通のセキュリティ情報を記憶部に記憶し、一の親機からセキュリティ情報を受信し、記憶しているセキュリティ情報と受信したセキュリティ情報とが一致するか否かを判定部で判定し、一致しない場合に、親子間で共通のセキュリティ情報に更新するコードレス電話システムの子機であって、
他の親機との接続を排除する排除モードの設定及び解除の指定を親機の操作なしに受け付ける受付手段と、
前記受付手段にて排除モードの設定の指定を受け付けたとき、排除モードに設定し、排除モードの解除の指定を受け付けたとき、排除モードを解除する排除モード変更手段と、
排除モードに設定されている場合、前記判定部で一致しないと判定されたときは、セキュリティ情報の更新を排除する排除手段とを備えることを特徴とするコードレス電話システムの子機。
【請求項２】
前記子機は、さらに、
ユーザによって排除モードに設定されたとき、前記判定部で一致すると判定された場合の親機に対して、排除モードへの移行指示を通知する通知手段を備えることを特徴とする請求項１記載のコードレス電話システムの子機。
【請求項３】
前記通知手段は、
ユーザによって排除モードが解除されたとき、前記親機に対して、排除モードの解除指示を通知することを特徴とする請求項２記載のコードレス電話システムの子機。
【請求項４】
親子間で共通のセキュリティ情報を記憶部に記憶し、セキュリティ情報を親機から受信し、記憶しているセキュリティ情報と受信したセキュリティ情報とが一致するか否かを判定した子機から判定結果の通知を受け、一致しない場合に親子間で共通のセキュリティ情報に更新するコードレス電話システムの親機であって、
他の子機との接続を排除する排除モードか否かを示す子機識別モードフラグを親機の操作なしに書き換え可能に記憶している記憶手段と、
前記子機識別モードフラグを読み出して排除モードか否かを判定する排除モード判定部と、
排除モードと判定された場合、前記通知で一致しないとする判定結果のとき、セキュリティ情報の更新を回避する回避手段とを備えることを特徴とするコードレス電話システムの親機。
【請求項５】
前記親機は、
子機から排除モードへの移行指示を受信したとき、排除モードに移行することを特徴とする請求項４記載のコードレス電話システムの親機。
【請求項６】
前記親機は、
子機から排除モードの解除指示を受信したとき、排除モードを解除することを特徴とする請求項５記載のコードレス電話システムの親機。
【請求項７】
親子間で共通のセキュリティ情報を第１記憶部に記憶し、一の親機からセキュリティ情報を受信し、記憶しているセキュリティ情報と受信したセキュリティ情報とが一致するか否かを判定部で判定し、一致しない場合に、親子間で共通のセキュリティ情報に更新する子機と、
親子間で共通のセキュリティ情報を第２記憶部に記憶し、子機から前記判定部による判定結果の通知を受け、一致しない場合に親子間で共通のセキュリティ情報に更新する親機とから成るコードレス電話システムであって、
前記子機は、
他の親機との接続を排除する排除モードの設定及び解除の指定を親機の操作なしに受け付ける受付手段と、
前記受付手段にて排除モードの設定の指定を受け付けたとき 、排除モードに設定し、排除モードの解除の指定を受け付けたとき、排除モードを解除する排除モード変更手段と、
排除モードに設定されている場合、前記判定部で一致しないと判定されたときは、セキュリティ情報の更新を排除する排除手段とを備え、
前記親機は、
他の子機との接続を排除する排除モードか否かを示す子機識別モードフラグを親機の操作なしに書き換え可能に記憶している記憶手段と、
前記子機識別モードフラグを読み出して排除モードか否かを判定する排除モード判定部と、
排除モードと判定された場合、子機からの前記判定部による判定結果の通知で一致しないと判定されたときは、セキュリティ情報の更新を回避する回避手段とを備えることを特徴とするコードレス電話システム。
【発明の詳細な説明】
【０００１】
【発明の属する技術分野】
本発明は、コードレス電話システムに関し、特に親子間で共通のセキュリティコードを記憶している場合に通話を可能とするコードレス電話システムに関する。
【０００２】
【従来の技術】
例えば、北米向けのコードレス電話システムにおける子機は、親機のクレードル（子機を載置するための置き台）に置かれた際に、当該親機から受信した「セキュリティコード」と自機の「セキュリティコード」とを比較し、一致する場合に当該親機が自機の親機であると判定する。不一致の場合、子機は、新たな「セキュリティコード」を当該親機から受信して自機のセキュリティコードの更新を行う。具体的には、以下のような手順で上記の更新を行う。
【０００３】
(１)親機は、子機が自機のクレードルに乗せられたことを検出する。
(２)親機は、子機に自機のセキュリティコードを送信する。
(３)子機は、親機から受信したセキュリティコードと自機のセキュリティコー
ドとを比較し一致するか否かを判定する。
(４)子機は、一致しないと判定した場合に、その旨を親機に送信する。
【０００４】
(５)親機は、新規にセキュリティコードを生成し、子機に送信する。
(６)子機は、親機から受信したセキュリティコードで自機のセキュリティコー
ドを更新する。
なお、北米向け等のコードレス電話システムの親機の構成としては、クレードルを備えるが、数字キー（テンキー）やディスプレイ装置は備えていないシンプルな構成となっている場合が多い。このため、ユーザは、必要な操作の殆どを子機から行う。また、１台の親機には１台の子機しか登録できない仕様となっている（親機及び子機は、共通で唯一のセキュリティコードを記憶している）。
【０００５】
【発明が解決しようとする課題】
ところで、上記コードレス電話システムが複数セット配置されているような使用環境において、子機を誤って他の親機のクレードルに置いてしまったようなときには、当該他の親機の子機として設定されていた真正の子機が、親機を失い通話できなくなるという問題が生じてしまう。これは、北米向け等のコードレス電話システムの場合、１台の親機には子機は１台しか登録できないからである。この場合、セキュリティコードの更新を不可能とするのも一解決法であるが、上記のコードレス電話システムは、同一機種の場合、必要に応じて親機と子機の組み合わせを変更するためにセキュリティコードの更新を可能とする互換機能を備える必要がある。
【０００６】
本発明は、上記課題に鑑みてなされたものであり、上記互換機能をも実現しつつ、子機を本来の親機ではない親機のクレードルに誤って置いた場合は、当該親機と当該子機との組み合わせを防止するコードレス電話システムを提供することを目的とする。
【０００７】
【課題を解決するための手段】
上記目的を達成するために、本発明に係るコードレス電話システムの子機は、
親子間で共通のセキュリティ情報を記憶部に記憶し、一の親機からセキュリティ情報を受信し、記憶しているセキュリティ情報と受信したセキュリティ情報とが一致するか否かを判定部で判定し、一致しない場合に、親子間で共通のセキュリティ情報に更新するコードレス電話システムの子機であって、他の親機との接続を排除する排除モードの設定及び解除の指定を受け付ける受付手段と、前記受付手段にて排除モードの設定の指定を親機の操作なしに受け付けたとき、排除モードに設定し、排除モードの解除の指定を受け付けたとき、排除モードを解除する排除モード変更手段と、排除モードに設定されている場合、前記判定部で一致しないと判定されたときは、セキュリティ情報の更新を排除する排除手段とを備える。
【０００８】
また、本発明に係るコードレス電話システムの親機は、親子間で共通のセキュリティ情報を記憶部に記憶し、セキュリティ情報を親機から受信し、記憶しているセキュリティ情報と受信したセキュリティ情報とが一致するか否かを判定した子機から判定結果の通知を受け、一致しない場合に親子間で共通のセキュリティ情報に更新するコードレス電話システムの親機であって、他の子機との接続を排除する排除モードか否かを示す子機識別モードフラグを親機の操作なしに書き換え可能に記憶している記憶手段と、前記子機識別モードフラグを読み出して排除モードか否かを判定する排除モード判定部と、排除モードと判定された場合、前記通知で一致しないとする判定結果のとき、セキュリティ情報の更新を回避する回避手段とを備える。
【０００９】
また、本発明に係るコードレス電話システムは、親子間で共通のセキュリティ情報を第１記憶部に記憶し、一の親機からセキュリティ情報を受信し、記憶しているセキュリティ情報と受信したセキュリティ情報とが一致するか否かを判定部で判定し、一致しない場合に、親子間で共通のセキュリティ情報に更新する子機と、親子間で共通のセキュリティ情報を第２記憶部に記憶し、子機から前記判定部による判定結果の通知を受け、一致しない場合に親子間で共通のセキュリティ情報に更新する親機とから成るコードレス電話システムであって、前記子機は、排除モードの設定及び解除の指定を親機の操作なしに受け付ける受付手段と、前記受付手段にて排除モードの設定の指定を受け付けたとき、排除モードに設定し、排除モードの解除の指定を受け付けたとき、排除モードを解除する排除モード変更手段と、他の子機との接続を排除する排除モードに設定されている場合、前記判定部で一致しないと判定されたときは、セキュリティ情報の更新を排除する排除手段とを備え、前記親機は、他の子機との接続を排除する排除モードか否かを示す子機識別モードフラグを親機の操作なしに書き換え可能に記憶している記憶手段と、前記子機識別モードフラグを読み出して排除モードか否かを判定する排除モード判定部と、排除モードと判定された場合、子機からの前記判定部による判定結果の通知で一致しないと判定されたときは、セキュリティ情報の更新を回避する回避手段とを備える。
【００１０】
【発明の実施の形態】
以下、本発明に係るコードレス電話システムの実施の形態について、図面を参照しながら説明する。
（実施の形態）
図１は、本実施の形態におけるコードレス電話システムにおける子機及び親機それぞれの機能ブロック図を示す。
【００１１】
子機１００は、無線部１１０、音声処理部１２０、記憶部１３０、操作部１４０、表示部１５０及び制御部１６０から構成される。
子機１００の無線部１１０は、送信時に、送信するベースバンド信号に基づいて搬送波を変調してアンテナより出力し、受信時に、アンテナから入力された高周波信号をベースバンド信号に復調する。
【００１２】
音声処理部１２０は、マイク１２１やスピーカ１２２を介して音声信号の入出力を行い、その増幅等を行う。
記憶部１３０は、セキュリティコード１３１、セキュリティコード一致フラグ（以下、「ＳＣ一致フラグ」という。）１３２及び識別モード切換フラグ１３３を記憶している。ここで、「セキュリティコード」とは、共通のセキュリティコードを有する親機を介してのみ通話を可能にするためのコードをいい、このコードは、例えば２４ビットで構成される。また、「ＳＣ一致フラグ」とは、親機から受信したセキュリティコードと上記セキュリティコード１３１とを比較した結果を示すフラグをいう。例えば、両者が一致する場合は「ＯＮ（＝１）」、一致しない場合は「ＯＦＦ（＝０）」が制御部１６０により設定される。
【００１３】
さらに、「識別モード切換フラグ」とは、子機１００と共通のセキュリティコードを有している親機との組み合わせを維持しようとするのか、子機１００が親機のクレードルに載置される毎に組み合わせが更新されるようにするのかをユーザによって選択されることにより、設定されるフラグをいう。具体的には、前者の場合は、操作部１４０の子機登録キー１４１が押下されたときに、制御部１６０によって「ＯＮ」に設定され、後者の場合は、操作部１４０の子機登録解除キー１４２が押下されたときに、制御部１６０によって「ＯＦＦ」に設定される。
【００１４】
操作部１４０は、電源キー、その他の各種操作キーを有し、ユーザからキー押下を受け付けて、その旨を制御部１６０に通知する。操作キーには、上述した識別モード切換フラグ１３３を設定するための子機登録キー１４１と子機登録解除キー１４２とを備える。
表示部１５０は、液晶ディスプレイパネル等から構成され、制御部１６０の制御によって、ユーザからキー入力された数字や文字等の表示を行う。
【００１５】
制御部１６０は、子機１００の各部を制御し、マイクロコンピュータ等によって実現される。また、制御部１６０は、内部に制御プログラムを記憶している。制御部１６０は、この制御プログラムに従い、子機１００が親機２００のクレードルに載置された際に実行される、セキュリティコードの更新処理を制御する。この場合、制御部１６０は、ＳＣ一致フラグ１３２と識別モード切換フラグ１３３との値に対応する各種の指示や通知を親機２００に送信するように、無線部１１０を制御する。子機１００から親機２００に送信する指示としては、「ＳＣ更新指示」と「子機識別モードフラグＯＦＦ設定指示」とがある。また、子機１００から親機２００に送信する通知としては、「ＳＣ不一致通知」と「ＳＣ更新通知」とがある。なお、制御部１６０は、カウンタ（図示せず）を備えている。
【００１６】
「ＳＣ更新指示」は、親機に対して、新たにセキュリティコードを生成して子機に送信するよう要求する指示である。この指示は、ＳＣ一致フラグ１３２及び識別モード切換フラグ１３３が、共に「ＯＮ」のときに親機に送信される。
「子機識別モードフラグＯＦＦ設定指示」は、親機に対して、子機識別モードフラグ２３２を「ＯＦＦ」に設定するよう要求する指示である。この指示は、ＳＣ一致フラグ１３２が「ＯＮ」、識別モード切換フラグ１３３が「ＯＦＦ」のときに親機に送信される。
【００１７】
「ＳＣ不一致通知」は、親機に対して、親機のセキュリティコードと子機のセキュリティコードとが一致しないときに、その旨を知らせるための通知である。この通知は、子機が親機のクレードルに載置された直後に親機から送信されたセキュリティコードと子機のセキュリティコードとが一致しないと判定されたとき（即ち、ＳＣ一致フラグ１３２が「ＯＦＦ」に設定されたとき）、常に親機に通知される。
【００１８】
「ＳＣ更新通知」は、親機に対して、子機においてセキュリティコードの更新を完了した旨を知らせるための通知である。この通知は、ＳＣ一致フラグ１３２及び識別モード切換フラグ１３３が、共に「ＯＦＦ」又は共に「ＯＮ」のときに、親機から通知された新たなセキュリティコードによって記憶部１３０のセキュリティコード１３１を更新した後に、親機に送信される。
【００１９】
次に、前記制御プログラムに基づいて実行される、制御部１６０における処理の流れについて、図２及び図３のフローチャートを参照しながら説明する。
最初に、制御部１６０は、ユーザによって電源が投入されるまで待ち（Ｓ２０１）、カウンタに「０」を設定する（Ｓ２０２）。また、制御部１６０は、識別モード切換フラグ１３３が「ＯＦＦ」か否かを判定する（Ｓ２０３）。
【００２０】
次に、制御部１６０は、識別モード切換フラグ１３３が「ＯＦＦ」の場合は、親機２００から送信されるセキュリティコードの受信を待って（Ｓ２０４）、自機のセキュリティコード１３１をロードし（Ｓ２０５）、双方のセキュリティコードを比較する（Ｓ２０６）。
比較の結果、双方のセキュリティコードが一致しなかった場合、制御部１６０は、カウンタが「１」か否かを判定し（Ｓ２０７）、「１」でない場合は、ＳＣ一致フラグ１３２に「ＯＦＦ」を設定して（Ｓ２０８）、ＳＣ一致フラグ１３２の値を親機２００に送信する（Ｓ２０９）。この後、制御部１６０は、カウンタに「１」を設定する（Ｓ２１０）。一方、カウンタが「１」の場合は、親機２００から受信したセキュリティコードで自機のセキュリティコードを更新し（Ｓ２１１）、カウンタを「０」クリア（Ｓ２１２）して「ＳＣ更新通知」を親機に送信する（Ｓ２１３）。
【００２１】
一方、双方のセキュリティコードが一致した場合、制御部１６０は、操作部１４０から子機登録キー１４１又は子機登録解除キー１４２の何れかの操作キーが押下されたか否かを判定し（Ｓ２１４）、押下された場合は、子機登録キー１４１又は子機登録解除キー１４２に応じて識別モード切換フラグ１３３の値を設定する（Ｓ２１５）。
【００２２】
その後、制御部１６０は、親機２００から送信されるセキュリティコードの受信を待って（Ｓ２１６）、自機のセキュリティコードをロードし（Ｓ２１７）、識別モード切換フラグ１３３の値を判別し（Ｓ２１８）、双方のセキュリティコードを比較する（Ｓ２１９、Ｓ２２２）。制御部１６０は、識別モード切換フラグ１３３が「ＯＮ」の場合であって、双方のセキュリティコードが一致しているときは、ＳＣ一致フラグ１３２に「ＯＮ」を設定すると共に（Ｓ２２５）、「ＳＣ更新指示」を親機２００に送信するように無線部１１０を制御する（Ｓ２２６）。また、制御部１６０は、識別モード切換フラグ１３３が「ＯＦＦ」の場合であって、双方のセキュリティコードが一致しているときは、ＳＣ一致フラグ１３２に「ＯＮ」を設定すると共に（Ｓ２２０）、「子機識別モードフラグＯＦＦ設定指示」を親機２００に送信するするように無線部１１０を制御する（Ｓ２２１）。なお、識別モード切換フラグ１３３の値に拘らず、双方のセキュリティコードが一致しないとき、制御部１６０は、ＳＣ一致フラグ１３２を「ＯＦＦ」に設定し（Ｓ２２３）、「ＳＣ不一致通知」を親機２００に送信するように無線部１１０を制御する（Ｓ２２４）。
【００２３】
さらに、制御部１６０は、親機２００からセキュリティコードを受信したか否かを判断し（Ｓ２２７）、受信したときにＳＣ一致フラグ１３２の値が「ＯＮ」であるか否かを判断する（Ｓ２３１）。ＳＣ一致フラグ１３２の値が「ＯＮ」の場合、制御部１６０は、受信したセキュリティコードで自機のセキュリティコード１３１を更新し（Ｓ２３３）、「ＳＣ更新通知」を親機２００に送信するように無線部１１０を制御する（Ｓ２３４）。一方、ＳＣ一致フラグ１３２の値が「ＯＦＦ」の場合（Ｓ２３１）、制御部１６０は、受信したセキュリティコードを無視する（Ｓ２３２）。
【００２４】
さらに、なお、制御部１６０は、親機２００から「子機識別不可通知」を受信した場合は（Ｓ２２９）、ユーザに「親子不一致通知」（例えば、ブザーを鳴らす等）を行うように音声処理部１２０等を制御する（Ｓ２３０）。
以後、制御部１６０は、ユーザからの操作を待って（Ｓ２３５）、上記処理を繰り返す（Ｓ２１４〜Ｓ２３５）。この場合の「ユーザからの操作」には、子機１００を親機２００のクレードルから取り上げ、子機登録キー１４１や子機登録解除キー１４２を押下する操作、電源キーのＯＮ／ＯＦＦ操作等が含まれる。
【００２５】
以上のように、本実施の形態の子機１００は、新たに子機登録キー１４１及び子機登録解除キー１４２を備え、これらのキー操作の結果を識別モード切換フラグ１３３に記憶させることにより、ユーザは、共通のセキュリティコードを有する親機を介してのみ通話を可能にするのか、子機１００が親機のクレードルに載置される毎に組み合わせを更新するようにするのかを選択することができる。
【００２６】
親機２００は、無線部２１０、子機検知部２２０、記憶部２３０、操作部２４０及び制御部２５０から構成される。
親機２００の無線部２１０は、前記子機１００の無線部１１０と同じ構成であるので、説明を省略する。
子機検知部２２０は、子機を載置するためのクレードルを備え、このクレードルに子機が載置された場合に、その旨を制御部２５０に通知する。
【００２７】
記憶部２３０は、セキュリティコード２３１と子機識別モードフラグ２３２とを記憶する。ここで、「子機識別モードフラグ」とは、子機１００から受信する指示により、子機１００と共通のセキュリティコードを有している親機との組み合わせを維持するようにするのか、子機１００が親機のクレードルに載置される毎に組み合わせが更新されるようにするのかについて設定されるフラグをいう。具体的には、前者の場合は、子機１００から「ＳＣ更新指示」を受信した場合に、制御部２５０によって「ＯＮ」に設定され、後者の場合は、子機１００から「子機識別モードフラグＯＦＦ設定指示」を受信した場合に、制御部２５０によって「ＯＦＦ」に設定される。
【００２８】
操作部２４０は、電源キーやＰＡＧＥキー（子機を探すためのキー）等を有し、ユーザからキー押下を受け付けて、その旨を制御部２５０に通知する。
制御部２５０は、親機２００の各部を制御し、マイクロコンピュータ等によって実現される。また、制御部２５０は、内部に制御プログラムを記憶している。制御部２５０は、この制御プログラムに従い、子機１００が自機のクレードルに載置された際に実行される、セキュリティコードの更新処理を制御する。この場合、制御部２５０は、子機１００が自機のクレードルに載置された際に実行される、セキュリティコードの更新に関する処理を制御する。この場合、制御部２５０は、子機識別モードフラグ２３２や子機１００から受信した指示や通知の内容に応じて、子機１００に対して各種の通知を送信するように無線部２１０を制御する。親機２００から子機１００に送信される通知としては、「セキュリティコード」と「子機識別モードフラグ変更通知」と「子機識別不可通知」とがある。
【００２９】
親機２００から子機１００に通知される「セキュリティコード」には、２つの種類がある。１つは、子機１００が親機２００のクレードルに載置された場合に、必ず子機１００に送信される「セキュリティコード」である。もう１つは、子機識別モードフラグ２３２が「ＯＦＦ」に設定されている場合であって、子機１００から「ＳＣ不一致通知」又は「ＳＣ更新指示」が受信されたとき、及び子機識別モードフラグ２３２が「ＯＮ」のときに「ＳＣ更新指示」を受信したときに、新たに制御部２５０によって作成され、子機１００に送信される「セキュリティコード」である。
【００３０】
「子機識別モードフラグ変更通知」は、子機識別モードフラグ２３２が「ＯＮ」に設定されている場合であって、子機１００から「子機識別モードフラグＯＦＦ設定指示」を受信したときに子機識別モードフラグ２３２を「ＯＦＦ」に変更後、子機１００に送信される通知である。
「子機識別不可通知」は、子機識別モードフラグ２３２が「ＯＮ」に設定されている場合であって、子機１００から「ＳＣ不一致通知」を受信したときに、子機１００に送信される通知である。
【００３１】
次に、前記制御プログラムに基づいて実行される、制御部２５０における処理の流れについて、図４のフローチャートを参照しながら説明する。
最初に、制御部２５０は、ユーザによって電源が投入されるのを待ち（Ｓ４０１）、子機識別モードフラグ２３２が「ＯＦＦ」に設定されているか否かを判定する（Ｓ４０２）。「ＯＦＦ」に設定されている場合、制御部２５０は、子機検知部２２０から子機１００がクレードルに載置された通知を受けるのを待って（Ｓ４０３）、親機２００のセキュリティコード２３１をロードし（Ｓ４０４）、子機１００に送信するように無線部２１０を制御する（Ｓ４０５）。この後、制御部２５０は、子機１００から送信される各種データを待ち受ける（Ｓ４０６）。
【００３２】
次に、制御部２５０は、子機識別モードフラグ２３２が「ＯＮ」の場合であって、子機１００から「ＳＣ不一致通知」を受信したときは、子機１００に「子機識別不可通知」を送信するように無線部２１０を制御する（Ｓ４１３）。また、制御部２５０は、子機１００から「子機識別モードフラグＯＦＦ設定指示」を受信したときは、子機識別モードフラグ２３２を「ＯＦＦ」に変更し（Ｓ４１０）、子機１００に「子機識別モードフラグ変更通知」を送信するように無線部２１０を制御する（Ｓ４１１）。さらに、制御部２５０は、子機１００から「ＳＣ更新指示」を受信した場合は、新たにセキュリティコードを作成し（Ｓ４１５）、子機１００に作成したセキュリティコードを送信するように無線部２１０を制御する（Ｓ４１６）。この後、制御部２５０は、子機１００から「ＳＣ更新通知」を受信したか否かを判定し（Ｓ４１７）、受信した場合に親機２００のセキュリティコードを更新する（Ｓ４１８）。
【００３３】
一方、制御部２５０は、子機識別モードフラグ２３２が「ＯＦＦ」か否かを判定し（Ｓ４０７）、「ＯＦＦ」の場合に子機１００から「ＳＣ不一致通知」を受信したときは（Ｓ４１４）、新たにセキュリティコードを作成し（Ｓ４１５）、作成したセキュリティコードを子機１００に送信するように無線部２１０を制御する（Ｓ４１６）。この後、制御部２５０は、子機１００から「ＳＣ更新通知」を受信したか否かを判定し（Ｓ４１７）、受信した場合は、親機２００のセキュリティコードを更新する（Ｓ４１８）。
【００３４】
また、制御部２５０は、子機識別モードフラグ２３２が「ＯＦＦ」の場合であって、子機１００から「ＳＣ更新指示」を受信したときは、子機識別モードフラグ２３２を「ＯＮ」に変更し（Ｓ４２０）、上記と同様の処理を行う（Ｓ４１５〜Ｓ４１８）。
以後、制御部２５０は、ユーザからの操作を待って（Ｓ４２１）、上記処理を繰り返す（Ｓ４０３〜Ｓ４２１）。この場合の「ユーザからの操作」には、親機２００の電源キーのＯＮ／ＯＦＦ操作等が含まれる。
【００３５】
以上のように、本実施の形態の親機２００は、新たに子機認識モードフラグを備えることにより、ユーザは、共通のセキュリティコードを有する子機のみを通信可能にするのか、子機がクレードルに載置される毎に組み合わせを更新するようにするのかを、子機からの指示によって選択することができる。
次に、子機１００の制御部１６０と親機２００の制御部２５０とがセキュリティコードの更新を行う際の処理動作について、図５〜図９の通信シーケンス図を参照しながら説明する。なお、これらの図における「破線の矢印」は、子機１００が親機２００のクレードルに載置されたことを示す。
【００３６】
図５は、初期状態として（例えば、製品の購入時等）、親機２００の子機識別モードフラグ２３２及び子機１００の識別モード切換フラグ１３３の値が「ＯＦＦ」に設定されている場合において、親子間で共通のセキュリティコードを初期登録するための通信シーケンス図である。さらに、図５には、子機１００側の指示により、双方のセキュリティコードを更新する場合の通信シーケンスをも示す。
【００３７】
最初に、親機２００は、子機１００がクレードルに搭置されたことを検知する。これにより、親機２００は、自機のセキュリティコード２３１をロードし、子機１００に送信する。
次に、子機１００は、親機２００からセキュリティコードを受信すると、自機のセキュリティコードをロードし、受信したセキュリティコードと一致するか否かの判定を行う。さらに、子機１００は、その判定結果として「ＳＣ不一致通知」（又は「ＳＣ一致通知」）を親機２００に送信する。
【００３８】
これにより、親機２００は、子機識別モードフラグ２３２が「ＯＦＦ」の場合において、子機１００から「ＳＣ不一致通知」を受信したときは、新たにセキュリティコードを作成し、子機１００に送信する。
子機１００は、親機２００から受信したセキュリティコードで自機のセキュリティコードを更新し、「ＳＣ更新通知」を親機２００に送信する。
【００３９】
その後、親機２００は、子機１００から送信される「ＳＣ更新通知」を待ち受ける。
以上のように、親機２００の子機識別モードフラグ２３２及び子機１００の識別モード切換フラグ１３３が共に「ＯＦＦ」に設定されている場合は、親子間で共通のセキュリティコードの登録が行われる。
【００４０】
続いて、子機１００は、ユーザから子機登録キー１４１の押下を受け付ける。これにより、子機１００の識別モード切換フラグ１３３は、「ＯＮ」に変更される。この後、子機１００は、ユーザによって親機２００のクレードルに載置される。
次に、親機２００は、子機１００が自機のクレードルに載置されたことを検出すると、自機のセキュリティコードを子機１００に送信する。
【００４１】
これにより、子機１００は、自機のセキュリティコードをロードし、上述したように、双方のセキュリティコードを比較する。子機１００は、双方のセキュリティコードが一致する場合、「ＳＣ更新指示」を親機２００に送信する。
親機２００は、子機１００から「ＳＣ更新指示」を受信すると、子機識別モードフラグ２３２を「ＯＦＦ」から「ＯＮ」に変更し、新たにセキュリティコードを作成して子機１００に送信する。その後、親機２００は、上記のように、子機１００がセキュリティコードの更新後に送信する「ＳＣ更新通知」を待ち受ける。
【００４２】
以上のように、親機２００の「子機識別モードフラグ」が「ＯＦＦ」、子機１００の識別モード切換フラグ１３３が「ＯＮ」に設定され、親子間のセキュリティコードが一致する場合は、親子間のセキュリティコードが更新される。
図６は、親機２００の子機識別モードフラグ２３２が「ＯＦＦ」、子機１００の識別モード切換フラグ１３３が「ＯＮ」に設定された場合で、親子間でセキュリティコードが一致しない場合の通信シーケンス図である。なお、図６において、前記図５と共通するシーケンスについては、その説明を省略する。
【００４３】
子機１００は、双方のセキュリティコードを比較し、「ＳＣ不一致通知」を親機２００に送信する。親機２００は、子機識別モードフラグ２３２が「ＯＦＦ」であるため、新たにセキュリティコードを作成して子機１００に送信し、子機１００からの「ＳＣ更新通知」を待ち受ける。
ところが、子機１００は、最初に親機２００から受信したセキュリティコードと自機のセキュリティコードとが一致していないため、再び親機２００から送信されてきたセキュリティコードによる更新は行わず、無視する。
【００４４】
以上のように、親機２００の子機識別モードフラグ２３２が「ＯＦＦ」に設定され、子機１００の識別モード切換フラグ１３３が「ＯＮ」に設定されている場合は、最初に親機２００から送信されたセキュリティコードと子機１００が記憶しているセキュリティコードとが一致しないときは、親子間のセキュリティコードの更新は排除される。
【００４５】
以下、図７〜図９においては、図５のシーケンスと共通する部分については説明を省略し、異なる点を中心に説明する。
図７(ａ)、(ｂ)は、親機２００の子機識別モードフラグ２３２が「ＯＮ」、子機１００の識別モード切換フラグ１３３が「ＯＦＦ」に設定された場合において、親子間でセキュリティコードが一致するときと一致しないときの通信シーケンスを示す図である。
【００４６】
図７(ａ)は、親子間でセキュリティコードが一致する場合の通信シーケンス図である。
子機１００は、双方のセキュリティコードが一致することを判定後、「子機識別モードフラグＯＦＦ設定指示」を親機２００に送信する。これにより、親機２００は、子機識別モードフラグ２３２を「ＯＮ」から「ＯＦＦ」に変更し、「子機識別モードフラグ変更通知」を子機１００に送信する。
【００４７】
以上のように、親機２００の子機識別モードフラグ２３２が「ＯＮ」、子機１００の識別モード切換フラグ１３３が「ＯＦＦ」に設定された場合で、親子間でセキュリティコードが一致するときは、親機２００の子機識別モードフラグ２３２が「ＯＦＦ」に設定される。
図７(ｂ)は、親子間でセキュリティコードが一致しない場合の通信シーケンスを示す図である。
【００４８】
子機１００は、双方のセキュリティコードが一致しないことを判定後、「ＳＣ不一致通知」を親機２００に送信する。これにより、親機２００は、「子機識別不可通知」を子機１００に送信する。この「子機識別不可通知」を受信した子機１００は、ユーザに「親子不一致」の通知を行う。
以上のように、親機２００の「子機識別モードフラグ」が「ＯＮ」、子機１００の識別モード切換フラグ１３３が「ＯＦＦ」に設定され、親子間でセキュリティコードが一致しない場合、親機２００は、「子機識別モードフラグ」の「ＯＦＦ」への変更は行わず、「子機識別不可通知」を子機１００に送信する。
【００４９】
図８(ａ)、(ｂ)は、親機２００の子機識別モードフラグ２３２及び子機１００の識別モード切換フラグ１３３が、共に「ＯＮ」の場合で、親子間でセキュリティコードが一致するときと一致しないときの通信シーケンスを示す図である。
図８(ａ)は、親子間でセキュリティコードが一致する場合の通信シーケンス図である。
【００５０】
子機１００は、双方のセキュリティコードが一致することを判定後、「ＳＣ更新指示」を親機２００に送信する。これにより、親機２００は、子機識別モードフラグ２３２が「ＯＮ」であるので、新たにセキュリティコードを作成して子機１００に送信し、子機１００からの「ＳＣ更新通知」を待ち受ける。
以上のように、親機２００の子機識別モードフラグ２３２及び子機１００の識別モード切換フラグ１３３が、共に「ＯＮ」の場合で、親子間でセキュリティコードが一致するときは、親子間でセキュリティコードの更新が実行される。
【００５１】
図８(ｂ)は、親子間でセキュリティコードが一致しない場合の通信シーケンス図である。
子機１００は、双方のセキュリティコードが一致しないことを判定後、「ＳＣ不一致通知」を親機２００に送信する。これにより、親機２００は、「子機識別不可通知」を子機１００に送信する。この「子機識別不可通知」を受信した子機１００は、ユーザに「親子不一致」の通知を行う。
【００５２】
以上のように、親機２００の子機識別モードフラグ２３２及び子機１００の識別モード切換フラグ１３３が、共に「ＯＮ」の場合で、親子間でセキュリティコードが一致しないとき、親機２００は、「子機識別不可通知」を子機１００に送信する。
図９（ａ）、（ｂ）は、親機２００の子機識別モードフラグ２３２及び子機１００の識別モード切換フラグ１３３が、共に「ＯＦＦ」の場合で、親子間でセキュリティコードが一致するときと一致しないときの通信シーケンスを示す図である。
【００５３】
図９(ａ)は、親子間でセキュリティコードが一致する場合の通信シーケンス図である。
子機１００は、双方のセキュリティコードが一致することを判定後、「子機識別モードフラグＯＦＦ設定指示」を親機２００に送信する。これに対し、親機２００は、子機識別モードフラグ２３２が「ＯＦＦ」に設定されていることを確認し、その値を保持する。
【００５４】
以上のように、親機２００の子機識別モードフラグ２３２及び子機１００の識別モード切換フラグ１３３が、共に「ＯＦＦ」の場合で、親子間でセキュリティコードが一致するときは、親機２００は、子機識別モードフラグ２３２の値「ＯＦＦ」を保持する。
図９(ｂ)は、親子間でセキュリティコードが一致しない場合の通信シーケンス図である。
【００５５】
子機１００は、双方のセキュリティコードが一致しないことを判定後、「ＳＣ不一致通知」を親機２００に送信する。これにより、親機２００は、子機識別モードフラグ２３２が「ＯＦＦ」であることを検出し、新たにセキュリティコードを作成して子機１００に送信し、子機１００からの「ＳＣ更新通知」を待ち受ける。
【００５６】
以上のように、親機２００の子機識別モードフラグ２３２及び子機１００の識別モード切換フラグ１３３が、共に「ＯＦＦ」の場合で、親子間でセキュリティコードが一致しないときは、親子間でセキュリティコードの更新が実行される。なお、この場合の親機２００及び子機１００の動作は、従来の親機と子機におけるセキュリティコードを更新する場合の動作と同等の動作である。
【００５７】
なお、上記の実施の形態においては、親機２００が、子機１００から「ＳＣ更新指示」を受信した場合に自機の子機識別モードフラグ２３２を「ＯＦＦ」から「ＯＮ」に変更するように構成したが、親機２００の操作部２４０に、別途「子機識別モードキー」を備え、前記図５に示す動作を実行後に、この「子機識別モードキー」を「ＯＮ」に設定するように構成してもよい。
【００５８】
【発明の効果】
以上説明したように、本発明は、親子間で共通のセキュリティ情報を記憶部に記憶し、一の親機からセキュリティ情報を受信し、記憶しているセキュリティ情報と受信したセキュリティ情報とが一致するか否かを判定部で判定し、一致しない場合に、親子間で共通のセキュリティ情報に更新するコードレス電話システムの子機であって、他の親機との接続を排除する排除モードの設定及び解除の指定を親機の操作なしに受け付ける受付手段と、前記受付手段にて排除モードの設定の指定を受け付けたとき排除モードに設定し、排除モードの解除の指定を受け付けたとき排除モードを解除する排除モード変更手段と、排除モードに設定されている場合、前記判定部で一致しないと判定されたときは、セキュリティ情報の更新を排除する排除手段とを備えることとしている。
【００５９】
これにより、子機が記憶しているセキュリティ情報と親機から受信したセキュリティ情報とを比較して一致するか否かを判定し、ユーザによって子機が排除モードに設定された場合は、一致しないと判定した親機から受信したセキュリティ情報による誤った更新を排除するので、この親機との組み合わせを防止することができる。
【００６０】
また、前記子機は、ユーザによって排除モードに設定されたとき、前記判定部で一致すると判定された場合の親機に対して、排除モードへの移行指示を通知する通知手段を備える。
これにより、ユーザによって排除モードに設定された子機は、セキュリティ情報が一致する親機に対して、親機のモードも排除モードに設定するように指示するので、セキュリティ情報が一致する親機と同一の排除モードを設定することができる。
【００６１】
また、前記通知手段は、ユーザによって排除モードが解除されたとき、前記親機に対して、排除モードの解除指示を通知することを特徴とする。
これにより、ユーザによって排除モードを解除するように設定された子機は、セキュリティ情報が一致する親機に対して、親機の排除モードを解除するように指示するので、親機の操作をすることなく排除モードを解除することができ、従来と同様の互換機能をも達成することができる。
【００６２】
また、本発明は、親子間で共通のセキュリティ情報を記憶部に記憶し、セキュリティ情報を親機から受信し、記憶しているセキュリティ情報と受信したセキュリティ情報とが一致するか否かを判定した子機から判定結果の通知を受け、一致しない場合に親子間で共通のセキュリティ情報に更新するコードレス電話システムの親機であって、他の子機との接続を排除する排除モードか否かを示す子機識別モードフラグを親機の操作なしに書き換え可能に記憶している記憶手段と、前記子機識別モードフラグを読み出して排除モードか否かを判定する排除モード判定部と、排除モードと判定された場合、前記通知で一致しないとする判定結果のとき、セキュリティ情報の更新を回避する回避手段とを備える。
【００６３】
これにより、親機が記憶しているセキュリティ情報と子機から受信したセキュリティ情報とを比較して一致するか否かを判定するので、親機が排除モードに設定された場合は、一致しないと判定した子機との間においては、セキュリティ情報の更新を回避し、この子機との組み合わせを防止することができる。
また、前記親機は、子機から排除モードへの移行指示を受信したとき、排除モードに移行することを特徴とする。
【００６４】
これにより、セキュリティ情報が一致する子機から排除モードへの移行指示を受信した親機は、排除モードに設定されていない子機とのセキュリティ情報の更新を回避でき、この子機との組み合わせを防止することができる。
また、前記親機は、子機から排除モードの解除指示を受信したとき、排除モードを解除することを特徴とする。
【００６５】
これにより、セキュリティ情報が一致する子機から排除モードの解除指示を受信した親機は、親機の操作をすることなく排除モードを解除することができる。
更に、本発明は、親子間で共通のセキュリティ情報を第１記憶部に記憶し、一の親機からセキュリティ情報を受信し、記憶しているセキュリティ情報と受信したセキュリティ情報とが一致するか否かを判定部で判定し、一致しない場合に、親子間で共通のセキュリティ情報に更新する子機と、親子間で共通のセキュリティ情報を第２記憶部に記憶し、子機から前記判定部による判定結果の通知を受け、一致しない場合に親子間で共通のセキュリティ情報に更新する親機とから成るコードレス電話システムであって、前記子機は、排除モードの設定及び解除の指定を親機の操作なしに受け付ける受付手段と、前記受付手段にて排除モードの設定の指定を受け付けたとき、排除モードに設定し、排除モードの解除の指定を受け付けたとき、排除モードを解除する排除モード変更手段と、他の子機との接続を排除する排除モードに設定されている場合、前記判定部で一致しないと判定されたときは、セキュリティ情報の更新を排除する排除手段とを備え、前記親機は、他の子機との接続を排除する排除モードか否かを示す子機識別モードフラグを親機の操作なしに書き換え可能に記憶している記憶手段と、前記子機識別モードフラグを読み出して排除モードか否かを判定する排除モード判定部と、排除モードと判定された場合、子機からの前記判定部による判定結果の通知で一致しないと判定されたときは、セキュリティ情報の更新を回避する回避手段とを備える。
【００６６】
これにより、子機が記憶しているセキュリティ情報と親機のセキュリティ情報とを比較して一致するか否かを判定し、子機及び親機の何れか又は両方が排除モードに設定された場合は、一致しないと判定したときはセキュリティ情報の更新は行わないので、セキュリティ情報が一致しない親子の組み合わせが生じてしまうことを防止することができる。
【図面の簡単な説明】
【図１】本実施の形態におけるコードレス電話システムにおける子機及び親機それぞれの機能ブロック図を示す。
【図２】子機の制御部の処理の流れを示すフローチャートである。
【図３】子機の制御部の処理の流れを示すフローチャートである。
【図４】親機の制御部の処理の流れを示すフローチャートである。
【図５】親子間で共通のセキュリティコードを初期登録し、その後、親子間で共通のセキュリティコードを更新する場合のの通信シーケンス図である。
【図６】親機の子機識別モードフラグが「ＯＦＦ」、子機の識別モード切換フラグが「ＯＮ」に設定された場合で、親子間でセキュリティコードが一致しない場合の通信シーケンス図である。
【図７】  (ａ)は、親機の子機識別モードフラグが「ＯＮ」、子機の識別モード切換フラグが「ＯＦＦ」に設定された場合で、親子間でセキュリティコードが一致する場合の通信シーケンス図である。
(ｂ)は、親機の子機識別モードフラグが「ＯＮ」、子機の識別モード切換フラグが「ＯＦＦ」に設定された場合で、親子間でセキュリティコードが一致しない場合の通信シーケンス図である。
【図８】  (ａ)は、親機の子機識別モードフラグ及び子機の識別モード切換フラグが、共に「ＯＮ」に設定された場合で、親子間でセキュリティコードが一致する場合の通信シーケンス図である。
(ｂ)は、親機の子機識別モードフラグ及び子機の識別モード切換フラグが、共に「ＯＮ」に設定された場合で、親子間でセキュリティコードが一致しない場合の通信シーケンス図である。
【図９】  (ａ)は、親機の子機識別モードフラグ及び子機の識別モード切換フラグが、共に「ＯＦＦ」に設定された場合で、親子間でセキュリティコードが一致する場合の通信シーケンス図である。
(ｂ)は、親機の子機識別モードフラグ及び子機の識別モード切換フラグが、共に「ＯＦＦ」に設定された場合で、親子間でセキュリティコードが一致しない場合の通信シーケンス図である。
【符号の説明】
１００    コードレス電話システムの子機
１１０    無線部
１２０    音声処理部
１２１    マイク
１２２    スピーカ
１３０    記憶部
１３１    セキュリティコード
１３２    ＳＣ一致フラグ
１３３    識別モード切換フラグ
１４０    操作部
１４１    子機登録キー
１４２    子機登録解除キー
１５０    表示部
１６０    制御部
２００    コードレス電話システムの親機
２１０    無線部
２２０    子機検知部
２３０    記憶部
２３１    セキュリティコード
２３２    子機識別モードフラグ
２４０    操作部
２５０    制御部
【図１】
0004014331.tif 000002
【図２】
0004014331.tif 000003
【図３】
0004014331.tif 000004
【図４】
0004014331.tif 000005
【図５】
0004014331.tif 000006
【図６】
0004014331.tif 000007
【図７】
0004014331.tif 000008
【図８】
0004014331.tif 000009
【図９】
0004014331.tif 000010